(57)【要約】【課題】ドアを開閉するときのロック板の変形を防止して、各スイッチによりドアの開閉を正確に感知することにより、電子波の漏洩を防止するための電子レンジを提供する。【解決手段】本体の開口部を開閉する機能をするドアに装着される少なくとも一つのフック部と、前記フック部がロックされるように前記本体内に設けられる少なくとも一つのロック部とを含む。前記各ロック部は、前記フック部が前記ロック部内に進入するとき、前記フック部がロックされる少なくとも一つのロック板と、前記フック部が前記ロック部内に進入したかを感知する感知スイッチと、前記ロック部を前記本体に固定する機能をする少なくとも一つの固定ネジを締結するため、前記各ロック板の所定部に位置する少なくとも一つの固定ネジ締結部とを含む。【選択図】　　　　図５
2004108755.tif 000002
【特許請求の範囲】
【請求項１】
開口部を有する本体と前記開口部を閉鎖するドアとを備える電子レンジにおいて、
前記開口部を開閉する機能をするドアに装着される少なくとも一つのフック部と、
前記フック部とロックされるように前記本体内に設けられる少なくとも一つのロック部とを含んでなり、
前記各ロック部は、
前記フック部が前記ロック部内に進入するとき、前記フック部とロックされるようにする少なくとも一つのロック板と、
前記フック部が前記ロック部内に進入したかを感知する感知スイッチと、
前記ロック部を前記本体に固定する機能をする少なくとも一つの固定ネジを締結するため、前記各ロック板の所定部に位置する少なくとも一つの固定ネジ締結部とを含んでなることを特徴とする電子レンジ。
【請求項２】
前記各固定ネジ締結部は、前記フック部がロックされる対応ロック板の一端部に位置することを特徴とする請求項１に記載の電子レンジ。
【請求項３】
前記固定ネジ締結部は、
前記ロック板と一体的に形成される円筒形支持部と、
前記固定ネジと螺合されるように、前記円筒形支持部の中心軸に沿って形成されるネジ孔とを含むことを特徴とする請求項１に記載の電子レンジ。
【請求項４】
前記各ロック板は射出成形により対応固定ネジ締結部と一体的に形成されることを特徴とする請求項１に記載の電子レンジ。
【請求項５】
飲食物を調理するための調理室と前記調理室内に高周波を発生させるための電気装置を収容するための電装室とに区画されるレンジ本体と、前記調理室と前記電装室との間の前記レンジ本体の前面部に設けられる少なくとも一つの非変形性ロック板を有し、付近に高周波動作を制御するセンサーが設けられるロック部と、
前記調理室の前面に回動可能に連結され、フック部が装着されたドアとを含んでなることを特徴とする電子レンジ。
【請求項６】
前記少なくとも一つの非変形性ロック板は、前記フック部が前記ロック板とロックされるロック板の一端部に固定ネジ締結部を含むことを特徴とする請求項５に記載の電子レンジ。
【請求項７】
前記少なくとも一つの非変形性ロック板は固定ネジ締結部を含み、前記固定ネジ締結部は、
前記ロック板と一体的に形成される円筒形支持部と、
固定ネジと螺合するように前記円筒形支持部の中心軸に沿って形成されるネジ孔とを含むことを特徴とする請求項５に記載の電子レンジ。
【請求項８】
調理室と電装室に区画されるレンジ本体の前面部に設けられる少なくとも一つの非変形性のロック板を有するロック部であって、前記非変形性のロック板は前記調理室と電装室との間に設けられ、前記ロック板に近接したセンサーにより高周波動作が制御されるように構成されたロック部と、
前記調理室に近接した前記レンジ本体の前面部に回動可能に連結され、前記ロック板とロックされるように少なくとも一つのフックを有するフック部を有するドアとを含んでなることを特徴とする電子レンジ。
【請求項９】
前記少なくとも一つの非変形性ロック板の一端部に固定ネジ締結部を含むことを特徴とする請求項８に記載の電子レンジ。
【請求項１０】
前記少なくとも一つの非変形性ロック板は固定ネジ締結部を含み、この固定ネジ締結部は、
前記ロック板と一体的に形成される円筒形支持部と、
固定ネジと螺合するように前記円筒形支持部の中心軸に沿って形成されるネジ孔とを含むことを特徴とする請求項８に記載の電子レンジ。
【請求項１１】
本体からの高周波漏洩を最小化するフック組立体において、
高周波を発生させるレンジ本体の前面部に設けられる少なくとも一つの非変形性ロック板と高周波動作を制御するために前記ロック板に近接したセンサーとを有するロック部と、
少なくとも一つの非変形性ロック板とロックされる少なくとも一つのフックを有し、前記本体のドアに設けられるフック部とを含んでなることを特徴とするフック組立体。
【請求項１２】
前記非変形性ロック板は固定ネジ締結部を含み、前記固定ネジ締結部は、
前記非変形性ロック板と一体的に形成される円筒形支持部と、
固定ネジと螺合するように前記円筒形支持部の中心軸に沿って形成されるネジ孔とを含むことを特徴とする請求項１１に記載のフック組立体。
【請求項１３】
電子波の漏洩を最小化する非変形性ロック組立体を有する電子レンジにおいて、
電子レンジの前面部に設けられる少なくとも一つの非変形性ロック板と、フック部が前記ロック部に進入するかを感知するため前記ロック板に近接した少なくとも一つの感知スイッチとを有するロック部と、
前記電子レンジのドアに設けられ、前記少なくとも一つの非変形性ロック板とロックされる少なくとも一つのフックを有するフック部とを含んでなることを特徴とする電子レンジ。
【請求項１４】
前記非変形性ロック板は固定ネジ締結部を含み、前記固定ネジ締結部は、
前記非変形性ロック板と一体的に形成される円筒形支持部と、
固定ネジと螺合するように前記円筒形支持部の中心軸に沿って形成されるネジ孔とを含むことを特徴とする請求項１３に記載の電子レンジ。
【請求項１５】
開口部を有する本体と前記開口部を閉鎖するドアとを備える電子レンジにおいて、
前記開口部を開閉する機能をするドアに設けられる少なくとも一つのフック部と、
前記フック部とロックされるように前記本体内に設けられる少なくとも一つのロック部であって、前記フック部が前記ロック部に進入するとき、前記フック部とロックされる少なくとも一つのロック板と前記フック部が前記ロック部に進入するかを感知する感知スイッチとを含む少なくとも一つのロック部と、
前記ロック部を前記本体に装着するため、前記ロック部に隣接する少なくとも一つの支持部とを含んでなることを特徴とする電子レンジ。
【請求項１６】
前記支持部は、対応固定ネジを支持するため、射出成形により対応ロック板と一体的に形成される固定ネジ締結部を含むことを特徴とする請求項１５に記載の電子レンジ。
【発明の詳細な説明】
【０００１】
【発明の属する技術分野】
本発明は電子レンジに係り、より詳しくはドアの開閉のためのフック部とロック部を備えている電子レンジに関するものである。
【０００２】
【従来の技術】
一般に、電子レンジは、調理室の内部に高周波を供給して食品を誘電加熱させる調理機であるので、人体に有害な高周波の漏洩防止のため、ドアが開放されたとき、調理室への高周波供給を遮断し、ドアが全く閉鎖されたときに限り、調理室への高周波供給を許すようにしている。このような動作のためのものとして、通常の電子レンジのドアにはフック部が設けられ、本体には前記フック部にロックされるロック部が設けられる。ロック部には、ドアの開閉によるフック部の進入を感知し、電子レンジの電源供給を制御することにより、ドアの開放時の電子波漏洩の防止する安全装置が設けられている。
【０００３】
かかる電子レンジは、図１及び図２に示すように、ドア１に設けられるフック部２がドア１の内部で昇降する連結部材３の上部及び下部にそれぞれ連結される上部フック４及び下部フック５からなり、ドア１の内部の連結部材３の下部には、上部フック４と下部フック５がロック部７に進入してロックできるように、フック部２を下方に引き寄せるスプリング６が設けられる。また、上部フック４及び下部フック５は、ドア１を引き寄せる動作のみで、ロック状態が解除されるように、ロック部の下部に斜面４ａ、５ａが設けられている。
【０００４】
レンジ本体８のロック部７には、上部フック４及び下部フック５にそれぞれ対応する上部及び下部進入孔９、１０が設けられる。各進入孔９、１０の内側には、上部フック４と下部フック５の進入を案内するとともに前記両フックとロックされる上部及び下部ロック板１１、１２が設けられる。このロック板１１、１２は各進入孔９、１０の下端からロック部７の内方に所定長さ延長され、その上面が上方に傾いた案内面１１ａ、１２ａを有して上部フック４と下部フック５の進入を案内するように構成される。そして、このようなロック部７は通常プラスチック射出成形により製造され、その一面が電子レンジの電装室と調理室を区画する区画板８ａに固定ネジ１３の締結により固定される。
【０００５】
また、ロック部７の内部には、上部フック４と下部フック５の進入又は退去によってドア１の開閉を感知する複数の感知スイッチ１４、１５、１６が設けられる。より具体的に、上部ロック板１１に隣接するロック部７の内部には、上部フック４の進入又は退去によって開閉される第１感知スイッチ１４が設けられ、下部ロック板１２に隣接するロック部７の内部には、下部フック５の進入又は退去によって開閉される第２感知スイッチ１５及びモニタスイッチ１６が設けられる。ここで、前記第１及び第２感知スイッチ１４、１５はドア１の開閉して電源の供給及び遮断を制御する機能をし、前記モニタスイッチ１６は、前記第１及び第２感知スイッチ１４、１５が誤動作するとき、電子レンジの電源を遮断する機能をする。
【０００６】
このような電子レンジは、ドア１を閉じるに際して、上部フック４と下部フック５がロック板１１、１２とロックされることで、ドア１を閉鎖状態に維持し、各スイッチ１４、１５、１６の接点が両フック４、５により押し込まれることになる。したがって、電子レンジに電源が印加され、調理室の内部に電子波が供給される。一方、ドア１を引き寄せて開けると、上部フック４と下部フック５のロック状態が解除されるとともに各スイッチ１４、１５、１６の押し込まれ状態が解除されることにより電源の供給が遮断されるので、調理室への電子波供給を中止して電子波の漏洩を防止することになる。
【０００７】
しかし、このような従来の電子レンジのロック部７はプラスチック射出物からなるため、弾性変形が生じ得、ロック部７を固定する固定ネジ１３の締結部１７が前記ロック板１１、１２から離隔した位置に設けられるため、使用者がドア１を開放するために引き寄せると、両フック４、５が両ロック板１１、１２を引く力によりロック板１１、１２の周囲部が微小に変形する現象があり、このような現象のため、上部フック４と下部フック５により各スイッチ１４、１５、１６が押し込まれた状態でもドア１が瞬間的に少し開放されるようにするため、電子波漏洩の危険があった。
【０００８】
【発明が解決しようとする課題】
したがって、本発明はこのような問題点を解決するためになされたもので、その目的は、ドアを開閉するときのロック板の変形を防止して、各スイッチによりドアの開閉を正確に感知することにより、電子波の漏洩を防止するための電子レンジを提供することにある。
【０００９】
【課題を解決するための手段】
前記のような目的を達成するため、本発明は、開口部を有する本体と前記開口部を閉鎖するドアとを備える電子レンジにおいて、前記開口部を開閉する機能をするドアに装着される少なくとも一つのフック部と、前記フック部とロックされるように前記本体内に設けられる少なくとも一つのロック部とを含んでなり、前記各ロック部は、前記フック部が前記ロック部内に進入するとき、前記フック部とロックされる少なくとも一つのロック板と、前記フック部が前記ロック部内に進入したかを感知する感知スイッチと、前記ロック部を前記本体に固定する機能をする少なくとも一つの固定ネジを締結するため、前記各ロック板の所定部に位置する少なくとも一つの固定ネジ締結部とを含んでなる電子レンジを提供する。
【００１０】
前記各固定ネジ締結部は、前記フック部がロックされる対応ロック板の一端部に位置する。
【００１１】
前記固定ネジ締結部は、前記ロック板と一体的に形成される円筒形支持部と、前記固定ネジと螺合されるように、前記円筒形支持部の中心軸に沿って形成されるネジ孔とを含む。
【００１２】
【発明の実施の形態】
以下、本発明による電子レンジの好ましい実施例を添付図面に基づいて詳細に説明する。
【００１３】
図３に示すように、本発明による電子レンジは、レンジ本体２０の内部に、飲食物の調理のための調理室２１と、各種電気部品が取り付けられる電装室２２とが区画板２３により区画されるように構成される。図面に示されてはいないが、電装室２２には、調理室２１の内部に高周波を供給するためのマグネトロンと、該マグネトロンに高電圧を印加するための高圧トランスとが内蔵される。
【００１４】
レンジ本体２０の調理室２１の前面には、調理室２１の開閉のための回動可能なドア２４が設けられ、電装室２２の前面には、電子レンジの各種機能を制御するための多数の操作ボタンが設けられた操作パネル２５が設けられる。また、ドア２４には、ドア２４を閉じたとき、ドア２４が閉じたままで維持できるようにするフック部３０が設けられ、調理室２１と電装室２２間の本体２０の前面部内側には、ドア２４のフック部３０がロックされ支持されるようにするロック部４０が設けられる。
【００１５】
図４及び図５に示すように、ドア２４のフック部３０は、ドア２４の内部で昇降する連結部材３３と、該連結部材３３の上端及び下端にそれぞれ連結され、ドア２４の内面側に突出する上部フック３１及び下部フック３２とからなる。前記連結部材３３には長手方向に長孔３４が形成され、この長孔３４はドア２４の内部ピン３５により昇降可能に支持される。そして、連結部材３３の下端には、上部フック３１と下部フック３２がロック部４０内に進入してロックされるように連結部材３３を下方に引き寄せるスプリング３６が設けられる。また、ドア２４の内面側に突出する上部フック３１と下部フック３２の端部には、下方に折曲されて延長される係止部３１ａ、３２ａが設けられ、係止部３１ａ、３２ａの下部には、ドア２４を引く動作のみでも上部フック３１と下部フック３２のロック状態が解除できるように斜面３１ｂ、３２ｂが形成される。
【００１６】
ロック部４０はフック部３０の位置に対応するレンジ本体２０の前面部内側に設けられ、電装室２２と調理室２１を区画する区画板２３の電装室２２側面に固定ネジ３８の締結により固定される。このようなロック部４０は内部が空いている箱状のプラスチック射出物からなり、上下方に長く延長される。
【００１７】
ロック部４０の前面には、上部フック３１と下部フック３２がその内部に進入できるように、上部フック３１及び下部フック３２にそれぞれ対応する位置に上部進入孔４１と下部進入孔４２が形成され、レンジ本体２０の前面部にもこれらに対応する進入孔２７、２８が形成される。そして、ロック部４０の上部進入孔４１と下部進入孔４２の内側には、上部フック３１と下部フック３２の進入を案内するとともに、両フック３１、３２がロックされる上部ロック板４３及び下部ロック板４４がそれぞれ設けられる。上部ロック板４３と下部ロック板４４は各進入孔４１、４２の下端からロック部４０の内側に所定長さ延長され、その上面は上方に傾いた案内面４３ａ、４４ａとなる。このようなロック板４３、４４の構成は、上部フック３１及び下部フック３２が進入するとき、案内面４３ａ、４４ａに沿って所定区間で上昇してから下降して各ロック板４３、４４の内側端部にロックされるようにしたものである。
【００１８】
また、ロック部４０の内部には、上部フック３１及び下部フック３２の進入又は退去によってドア２４の開閉を感知して電子レンジの動作を制御するためのものとして、上部ロック板４３に隣接する位置に、上部フック３１の進入又は退去によって開閉される第１感知スイッチ４５が設けられ、下部ロック板４４に隣接する位置に、下部フック３２の進入又は退去によって開閉される第２感知スイッチ４６とモニタスイッチ４７が設けられる。これらの感知スイッチのなかで、第１及び第２感知スイッチ４５、４６はドア２４の開閉を感知して電源の供給と遮断を制御する機能をし、モニタスイッチ４７は、第１及び第２感知スイッチ４５、４６が誤動作する場合、電子レンジの電源を遮断する機能をする。このような感知スイッチ４５、４６、４７は、それぞれの接点が上部フック３１及び下部フック３２と接触できる状態となるように、ロック部４０の内部に設けられた固定リブ４８により固着される。
【００１９】
前記ロック部４０の上部ロック板４３と下部ロック板４４の内側先端（上部フックと下部フックがロックされる部分）には、ロック部４０をレンジ本体２０の区画板２３に固定する固定ネジ３３８が締結される固定ネジ締結部５０が設けられる。前記固定ネジ締結部５０は、円筒形のネジ支持部５１と、該ネジ支持部５１の中央に貫通されるネジ孔５２とからなり、射出成形によりロック板４３、４４と一体的に成形される。このような構成は、上部フック３１と下部フック３２がロックされるロック板４３、４４の先端を、ロック部４０を固定する固定ネジ３８が堅く支持することにより、ドア２４の開放動作によって上部フック３１及び下部フック３２が突然引かれて各ロック板４３、４４の先端に大きい力がかかっても、ロック板４３、４４及びその周囲の変形が防止できるようにしたものである。したがって、各感知スイッチ４５、４６、４７がドア２４の開閉を正確に感知することができる。
【００２０】
つぎに、このような電子レンジのドアの開閉による動作を説明する。
【００２１】
ドア２４が閉じるときは、上部フック３１及び下部フック３２がロック部４０の上部進入孔４１と下部進入孔４２を通してロック部４０の内部に進入してロックされる。この際、上部フック３１と下部フック３２が上部ロック板４３と下部ロック板４４の案内面４３ａ、４４ａに沿って上昇しながら進入した後、ドア２４の内部に設けられたスプリング３６の弾性により所定区間で下降して各ロック板４３、４４の先端にかかり、上部フック３１と下部フック３２の係止部３１ａ、３２ａが各感知スイッチ４５、４６、４７の接点を押し込む。したがって、第１感知スイッチ４５と第２感知スイッチ４６がオンされ、モニタスイッチ４７がオフされるので、電子レンジに電源が印加され、調理室２１の内部に電子波が供給される。
【００２２】
ドア２４が開放されるときは、上部フック３１と下部フック３２がドア２４の開放動作により外側に引かれるので、各ロック板４３、４４とのロックが解除されるとともに、上部フック３１及び下部フック３２の係止部３１ａ、３２ａによる各感知スイッチ４５、４６、４７の押し込みが解除される。したがって、第１感知スイッチ４５と第２感知スイッチ４６がオフされ、モニタスイッチ４７がオンされることにより、電子レンジの電源が遮断されるので、調理室２１への電子波の供給が中断される。すなわち、電子波漏洩の危険がなくなる。仮に、第１及び第２感知スイッチ４５、４６が誤動作する場合には、モニタスイッチ４７に接続された回路が短絡して電源が遮断され、電子レンジの動作が停止するので、電子波の漏洩が防止される。
【００２３】
特に、本発明は、ドア２４の開放動作の際、上部フック３１と下部フック３２が外側に引かれるので、上部フック４３と下部フック４４に瞬間的に大きい力がかかっても、ロック部４０を固定する固定ネジ３８が各ロック板４３、４４の先端を堅く支持するので、ロック板４３、４４とその周囲の変形が防止される。したがって、各感知スイッチ４５、４６、４７がドア２４の開閉を正確に感知することができるので、ドア２４の開放時の電子波漏洩を確かに防止することができる。
【００２４】
【発明の効果】
以上説明したように、本発明による電子レンジは、ロック部を固定する固定ネジの締結部をロック板の先端に設けることにより、ドアの開閉時のロック板の変形を防止するので、各感知スイッチがドアの開閉を正確に感知することができ、これにより電子波の漏洩を防止する効果がある。
【図面の簡単な説明】
【図１】従来の電子レンジのフック及びロック部の構成を示す斜視図である。
【図２】従来の電子レンジのフック及びロック部の構成を示す断面図である。
【図３】本発明による電子レンジの構成を示す斜視図である。
【図４】図３の電子レンジのフック及びロック部の構成を示す斜視図である。
【図５】図３の電子レンジのフック及びロック部の構成を示す斜視図である。
【符号の説明】
２０　レンジ本体
２４　ドア
３１　上部フック
３２　下部フック
３３　連結部材
３８　固定ネジ
４０　ロック部
４３　上部ロック板
４４　下部ロック板
４５　第１感知スイッチ
４６　第２感知スイッチ
４７　モニタスイッチ
５０　固定ネジ締結部
【図１】
2004108755.tif 000003
【図２】
2004108755.tif 000004
【図３】
2004108755.tif 000005
【図４】
2004108755.tif 000006
【図５】
2004108755.tif 000007